(57)【要約】【課題】身体を一切傷つけることなく、簡単に脱着できる一方、一旦装着してしまえば身体の動きによって不用意に脱落することがなく、様々なデザインバリエーション展開も可能なへそ専用の身飾品を提供すること。【解決手段】装飾部１と該装飾部１の裏面側に立設された脚部２とからなるもので、軟質弾性材料で一体的に形成し、脚部２の基端と上下端２ａ，  ２ｂとの間に設けた切欠部２ｃ，  ２ｄにおいて、又は装飾部の上下一方側の先端部分を二枚舌状とした場合にはその隙間１ｄにおいて、へその薄皮部分Ｎ１を挟持させることにより脱落防止を図った。【選択図】      図４
2004298270.tif 000002
【特許請求の範囲】
【請求項１】
装飾部と、該装飾部の裏面側に立設された脚部とからなるへそ用身飾品。
【請求項２】
脚部の上下端が装飾部の上下端方向に延伸されたものであり、かつ、脚部の基端と上下端との間に切欠部が設けられていることを特徴とする請求項１記載のへそ用身飾品。
【請求項３】
脚部が上下２つに分割形成されたものであり、上側脚部と下側脚部との間に窪み部が設けられていることを特徴とする請求項１又は請求項２いずれかに記載のへそ用身飾品。
【請求項４】
装飾部の少なくとも上下一方側の先端部分が二枚舌状に形成されていることを特徴とする請求項１ないし請求項３いずれかに記載のへそ用身飾品。
【請求項５】
装飾部と脚部が軟質弾性材料で一体的に形成されていることを特徴とする請求項１ないし請求項４いずれかに記載のへそ用身飾品。
【発明の詳細な説明】
【０００１】
【発明の属する技術分野】
本発明は、へその穴部分に対して脱着自在に装着可能な身飾品に関する。
【０００２】
【従来の技術】
身体の各部分に装飾として使用される身飾品（いわゆるアクセサリ）としては、古来より様々な種類のものが提供されてきた。指輪やネックレス、ブレスレット、イヤリングなどは身体に傷を付けることなく着脱自在に使用することができるのであるが、耳たぶに装着するピアスのように、ピアッサーと呼ばれる穿孔器によって身体に小透孔（ピアスホール）を穿設し、該小透孔に対してピンやリングを挿通して装飾部を固定する身飾品もよく用いられるようになっている。こうしたピアスは、耳たぶ部分のみに止まらず、近年では、へそ（臍）の薄皮部分などに小透孔を穿設して装着するボディピアス又はへそピアスと呼ばれるピアスが提供されている。
【０００３】
へそピアスとしては湾曲したバーベル状のピアスが一般的であるが、その他、鼻腔や舌など様々な身体部位に用いられるボディピアスとして、例えば、実用新案登録第３０６７８１９号（特許文献１）に開示された形状のものがある。このボディピアスは、ストッパとなる玉の両側に各々１個宛穿設した穴内にバネを入れて、略Ｃ字形をしたリング状本体の両端部を前記各穴内に嵌入させることにより、リング状本体をいずれか一方側に押圧するだけで玉がリング部材から外れるよう形成されている。
【０００４】
【特許文献１】
実用新案登録第３０６７８１９号（第１−２頁、図３）
【０００５】
【発明が解決しようとする課題】
こうしたボディピアス、とくにへそピアスは、従来身飾品を使用することが不可能であったへそに対して装着使用できることや、お腹を露出させるファッションの流行とも相俟って人気を博しているのであるが、一旦へそピアスを装着すると、ピアスホールに薄皮が再生されて完全に治癒してしまうまでの間、すなわち半年ないし１年程度もの間定期的な消毒を行い、かつ、ピアスの取り外しを避けなければならない。また、消毒が不十分であると、ピアスホール部分が炎症や化膿を起こしてしまうし、人によってはボディピアスのピンやリングに用いられる金属材料によって身体がアレルギー症状を起こしたりといったトラブルも多い。さらには、小透孔とはいえ、身体に対して後発的・強制的にピアスホールを穿つこと自体に心理的な抵抗感があることは否めなかった。
【０００６】
そこで、本発明者は、身体を一切傷つけることなく、へそに対して簡単に脱着できる一方、一旦装着してしまえば身体の動きによって不用意に脱落することがなく、様々なデザインバリエーション展開も可能なへそ用の身飾品について検討することにした。
【０００７】
【課題を解決するための手段】
前記所期の課題解決のために、本発明に係るへそ用身飾品は、装飾部と、該装飾部の裏面側に立設された脚部とから構成することにした。脚部をへその中へと挿入し、装飾部を身体の外方に向けて露出させるだけで身飾品の装着ができる一方、装飾部を手で摘めば身飾品の取り外しも簡単にできる。身飾品の装飾部については様々な輪郭形状を採用しうるが、上下方向に縦長な輪郭形状としておくと、へそが上下方向に押し広げられて縦長形状となる。いわゆる職業モデルにおいて美しいと言われているへその形状は、こうした縦長形状である。
【０００８】
へその中へと挿入される脚部は、その上下端を装飾部の上下端方向に延伸し、かつ、その基端と上下端との間に切欠部を設けるとよい。へその形状については個人差があるが、ごく一般的な形状のへそでは、へその穴の上縁に薄皮が垂れ下がっていたり、へその穴の下縁が上方に隆起したりしているから、身飾品を装着した際に、脚部の切欠部がこれら薄皮部分や隆起部分に掛止されるようにして、装着した身飾品の安易な脱落防止を図ったのである。
【０００９】
さらに、身飾品の脚部を上下２つに分割形成して、上側脚部と下側脚部との間に窪み部を設けるとよい。やはりごく一般的な形状のへそでは中心付近が外方に隆起しているから、中間に窪み部を設けた上側脚部と下側脚部によって、へその隆起した中心付近を跨ぐように装着することで、より一層の脱落防止が図られる。
【００１０】
さらにまた、へその穴上縁から垂れ下がった薄皮部分やへその穴下縁の隆起部分の存在に着目して、本発明に係るへそ用身飾品では、装飾部の少なくとも上下一方側の先端部分を二枚舌状に形成するとよい。とくに装飾部を軟質弾性材料で形成することにより、二枚舌状となった間の部分でへその穴上縁の薄皮部分等が挟持されるし、裏側に位置する装飾部先端がバネのように作用して薄皮等を強く挟持することになり、安易な脱落防止が図られる。
【００１１】
以上のようなへそ用身飾品は、装飾部と脚部を同一素材で、あるいは異種素材で別体として形成して組み合わせることができるが、製造コスト等を勘案すれば、ともに軟質弾性材料で一体的に形成するのが望ましい。また、装飾部と脚部とを別体で形成する場合であっても、少なくともへその穴内に挿入される脚部については軟質弾性材料で形成することによって、装着時に激しく動いても身体動作にある程度追従するので、違和感なく安定的に装着することが可能となる。
【００１２】
【発明の実施の形態】
以下、図面に基づいて本発明を詳細に説明する。図１は本発明に係るへそ用身飾品の一例を示した斜視図であり、図２は同身飾品の正面図（ａ）、右側面図（ｂ）、背面図（ｃ）、平面図（ｄ）および底面図（ｅ）である。図示された例のへそ用身飾品は、正面視隅丸長方形状をした装飾部１と、該装飾部１の裏面側（背面側）に立設された脚部２とから構成されている。こうしたへそ用身飾品は、装着時にへそを圧迫しないように、シリコーンゴムやウレタンゴム、天然ゴムに代表される各種ゴムなどの軟質弾性材料により形成するのが望ましいが、各コーナー部を十分丸くすることにより、合成樹脂製やプラチナ等の各種金属製あるいは木製としてもよい。また、装飾部１のみに宝石を用いて軟質弾性材料により形成した脚部２を組み合わせたり、装飾部１の表面のみに異種素材を貼着してもよい。
【００１３】
装飾部１の形状は、先の例の正面視隅丸長方形状に限定されるものではなく、図３（ａ）に示される略ひょうたん形や、図３（ｂ）に示される略ハート形、あるいは花や動物といった具象形など任意の形状を採用しうる。へその穴に装着使用した際にへその形を美しい縦長に見せるために、縦方向に長い形状を採用するのが望ましく、また、装飾部１の上下端部によってへその上下部分が圧迫されにくいように、装飾部１は、脚部２側に反り返った形状としてもよい。材質によって装飾部１の正面側に塗装すること等が困難な場合には、着用者自らの好みによって様々なデコレーションを行えるよう、塗装等が容易な素材を薄く貼り合わせてもよい。
【００１４】
本例の脚部２は、装飾部１の中程から立設された脚部２の上端２ａと下端２ｂとが、それぞれ装飾部１の上端１ａと下端１ｂ方向に延伸されており、脚部２の基端とこれら上端２ａと下端２ｂとの間に切欠部２ｃ，  ２ｄが設けられている。
【００１５】
図４は、本発明に係るへそ用身飾品をへその穴に装着した状態の概略縦断面図である。図示されるように、脚部２を縦方向に向けてへその穴に挿入する際に、へその上縁から垂れ下がった薄皮部Ｎ１を、装飾部１の裏面側（背面側）にあって脚部２の上端２ａとの間に位置している切欠部２ｃに嵌入させると、薄皮部Ｎ１が装飾部１の上端１ａと脚部２の上端２ａによって挟持される。一方、同じく装飾部１の裏面側（背面側）にあって脚部２の下端２ｂとの間に位置している切欠部２ｄには、へその下縁にある隆起部分Ｎ３が嵌入することになり、当該隆起部分Ｎ３は装飾部１の下端１ｂと脚部２の下端２ｂによって挟持されることになる。その結果、へそ用身飾品は、へその穴に対して安定固定されることになるわけである。
【００１６】
図５は本発明に係るへそ用身飾品の他の例を示した斜視図であり、図６は同身飾品の正面図（ａ）、右側面図（ｂ）、背面図（ｃ）、平面図（ｄ）および底面図（ｅ）である。図示された例のへそ用身飾品は、平面視隅丸長方形状をした装飾部１と、該装飾部１の裏面側（背面側）に立設された脚部２とから構成されている点は先の図１に示した例と同じであるが、本例の身飾品では、脚部２が上下２つに分割形成されている点と、装飾部の上側先端部分が二枚舌状に形成されている点が相違している。
【００１７】
すなわち、脚部２は、上側脚部２ｅと下側脚部２ｆとに分割されており、これら両脚部２ｅ，  ２ｆの間に窪み部２ｇが設けられている。また、装飾部１の上側には、上端１ａの裏面側（背面側）より舌片１ｃが延設されている。この舌片１ｃは、装飾部の上端１ａとの間に隙間を有しながら、装飾部の上端１ａよりも長く形成されている。なお、このように舌片１ｃを設ける際には、後述するような理由から、少なくとも舌片１ｃの部分については軟質弾性材料で形成する必要がある。
【００１８】
図７は、以上のように形成されたへそ用身飾品をへその穴に装着した状態を示す概略縦断面図である。図示されるように、やはり脚部２を縦方向に向けながらへその穴に挿入する際に、へその上縁から垂れ下がった薄皮部Ｎ１を、二枚舌状に形成された装飾部１の上端１ａと舌片１ｃとの間にある隙間１ｄに嵌入させる。軟質弾性材料で形成された舌片１ｃは、薄皮部Ｎ１の裏側に沿いながら、あたかもバネのように薄皮部Ｎ１を装飾部１の上端１ａとの間に挟持する。一方、同じく装飾部１の下端１ｂと脚部２の下端２ｂとの間に位置している切欠部２ｄには、へその下縁にある隆起部分Ｎ３が嵌入することになり、当該隆起部分Ｎ３は装飾部１の下端１ｂと脚部２ｆによって挟持されることになる。
【００１９】
さらに、本例のへそ用身飾品では、上側脚部２ｅと下側脚部２ｆとの間に設けられた窪み部２ｇ内に、へその中心部Ｎ２が納まることになる。先の図１の例のへそ用身飾品では脚部２により、人によってはかなり隆起しているへその中心部Ｎ２が押圧されることになるのであるが、本例のへそ用身飾品では、そうした無理な負担を生じることがない点で優れているといえる。
【００２０】
また、本例のへそ用身飾品では、上側脚部２ｅと下側脚部２ｆの各先端部分が円盤状に拡張されており、この拡張部分によって、人によっては隆起しているへその中心部Ｎ２を挟持し、あるいは中心部Ｎ２と隆起部Ｎ３によって下側脚部２ｆの方が挟持されて、安定な装着状態が得られるのである。
【００２１】
【発明の効果】
本発明に係るへそ用身飾品は、その脚部をへその穴に挿入し、その装飾部をへその外側から見えるように装着するだけでよいので、着脱が極めて容易である。また、脚部の基端と上下端との間に設けた切欠部において、又は装飾部の上下一方側の先端部分を二枚舌状とした場合にはその間において、へその穴周縁の薄皮部分や隆起部分を挟持させておけば、装着者がかなり激しい運動をしても容易に脱落することがない。
【００２２】
そして、装飾部にはペイントや石の埋込み、テーピングなど様々な装飾を施すことができるし、装飾部の輪郭形状についても任意にデザイン可能であって、カラー・デザインともに多様なバリエーション展開が可能となる。とくに、身飾品全体を縦長形状としておけば、装着したへそが縦長で美しく見える利点がある。
【００２３】
また、へそ用身飾品全体を軟質弾性材料を用いて一体的に形成すれば、製造コストも安価であるし、身体の動きに従って変形するので装着感も損なわれない。
【図面の簡単な説明】
【図１】本発明に係るへそ用身飾品の一例を示した斜視図である。
【図２】図１の例のへそ用身飾品の正面図（ａ）、右側面図（ｂ）、背面図（ｃ）、平面図（ｄ）および底面図（ｅ）である。
【図３】装飾部に他の形状を採用した例の平面図であり、略ひょうたん形とした例（ａ）と、略ハート形とした例（ｂ）である。
【図４】図１の例のへそ用身飾品を、へその穴に装着した状態の概略縦断面図である。
【図５】本発明に係るへそ用身飾品の他の例を示した斜視図である。
【図６】図５の例のへそ用身飾品の正面図（ａ）、右側面図（ｂ）、背面図（ｃ）、平面図（ｄ）および底面図（ｅ）である。
【図７】図５の例のへそ用身飾品を、へその穴に装着した状態の概略縦断面図である。
【符号の説明】
１      装飾部
１ａ    装飾部の上端
１ｂ    装飾部の下端
１ｃ    舌片
２      脚部
２ａ    脚部の上端
２ｂ    脚部の下端
２ｃ，２ｄ    切欠部
２ｅ    上側脚部
２ｆ    下側脚部
２ｇ    窪み部
【図１】
2004298270.tif 000003
【図２】
2004298270.tif 000004
【図３】
2004298270.tif 000005
【図４】
2004298270.tif 000006
【図５】
2004298270.tif 000007
【図６】
2004298270.tif 000008
【図７】
2004298270.tif 000009